(57)【要約】      （修正有）【課題】１個のフォトスタンドとしての取り扱いでありながら、種々に雰囲気を変えることができ、また、必要に応じて複数の大小の写真をそれぞれに独立して飾ることもできるようにしたフォトスタンドの提供。【解決手段】矩形の親フレーム４を有する親スタンドと矩形をした子フレーム１４ａ〜１４ｃを有する複数の子スタンド３ａ〜３ｃとからなり、複数の子スタンドは、親スタンドの表示窓８に隙間なく配置された状態で親スタンド２に装填できる。また、親スタンド２、子スタンド３ａ〜３ｃはそれぞれに独立してフォトスタンドとして利用できる。親フレーム４に裏板６を取り付ける手段として裏板押え具１１と係合具１３の２つが準備されている。【選択図】図４
0003113915.tif 000002
【実用新案登録請求の範囲】
【請求項１】
矩形の親フレームを有する親スタンドと矩形をした子フレームを有する複数の子スタンドとからなり、複数の子スタンドは、親スタンドの表示窓に隙間なく配置された状態で親スタンドに装填できると共に、親スタンド、子スタンドはそれぞれに独立してフォトスタンドとして機能することを特徴とした親子嵌め込みフォトスタンド。
【請求項２】
子スタンドは背面に支持部材取り付け部とこの取り付け部に着脱可能な支持部材を有し、親フレームと子フレームとの空間に前記の支持部材を収納する空間を設けてあることを特徴とした請求項１に記載の親子嵌め込みフォトスタンド。
【請求項３】
親スタンドは、親フレームに背面から装着する裏板を有し、親フレームを構成する縁材の背面に裏板押え具を設けると共に、裏板の背面側周囲に、裏板をフレーム内面へ着脱可能に止め付ける係合具を有していることを特徴とした請求項１または２に記載の親子嵌め込みフォトスタンド。
【考案の詳細な説明】
【技術分野】
【０００１】
本考案は、写真やイラストなどを装填して飾るフォトスタンドに関する。
【背景技術】
【０００２】
フォトスタンドは、インテリアとしての機能が高く、スタンドを構成するフレームの色や形あるいは構造に種々の工夫がなされている。特許文献１は、複数の写真ブロックを相互に着脱可能に係合させて組み合わせるものであり、特許文献２は、写真をフレームと止め具との間に磁力により取り付けるものであり、特許文献３は、写真を取り付ける基板と支持台を面ファスナーにより取り付け、室内装飾品として多用に利用できるようにしたものであり、また、特許文献４は、写真などを取り付ける額（フレーム）と装飾立て板とを個別に構成し、組み合わせを変更することにより、利用者の好みに合せられるようにしたものである。
【０００３】
【特許文献１】実開平７−３３１５９号公報
【特許文献２】実用新案登録第３０６８０２１号公報
【特許文献３】登録実用新案第３０２６４３９号公報
【特許文献４】登録実用新案第３０１３６４３号公報
【考案の開示】
【考案が解決しようとする課題】
【０００４】
従来技術のものは、それぞれに独特の効果を発揮し得るが、写真などを装填するフレーム自体は雰囲気を変えることができず、単一の用途しかない。例えば、一つのフレームでは表示窓の大きさが一定であるから、通常同じ大きさの写真しか装填できない。幾つかの写真を同時に飾りたい場合、これらを平面的に配置して一つのフレームに収めることもあるが、複数の写真のそれぞれにはフレームがなく、まとめて飾っているだけで、表示窓が１つであることに変わりがない。このように、通常フォトスタンドにおけるフレームの大きさや縦横比などの形態は一定で一個のフォトスタンドでスタンド自体の雰囲気を種々に変えることはできない。
この考案は、１個のフォトスタンドとしての取り扱いでありながら、種々に雰囲気を変えることができ、また、必要に応じて複数の大小の写真をそれぞれに独立して飾ることもできるようにしたフォトスタンドの提供を課題とする。
【課題を解決するための手段】
【０００５】
大小のフォトスタンド（以下、単にスタンドという）を準備し、１つのスタンド（大）に複数のスタンド（小）を嵌め込んで組み合わせた親子嵌め込みフォトスタンドの構造とする。大小のスタンドはそれぞれにスタンドであるから、裏板などを備えて写真を装填して利用できる。したがって、スタンドとしてそれぞれに表示窓を立ち上げた状態に維持する支持部材を有することがある。また、スタンド（大）（親スタンド）は、写真などに替えて組み込んだ複数のスタンド（小）（子スタンド）を背面側から裏板で押し付け、装填状態とすることができる。
【考案の効果】
【０００６】
親スタンドの表示窓中に複数の子スタンドが組み合わされて見えるので、一つの表示窓が複数の子スタンドで分割された、これまでにない雰囲気のフォトスタンドとなりインテリア効果が高い。親スタンドにおけるフレーム（親フレームという）と子スタンドにおけるフレーム（子フレームという）の色や質感、あるいは複数の子スタンド間で子フレームの色や質感を種々に組み合わせることにより、好みの雰囲気を備えた親子嵌め込みフォトスタンドとできる。
複数の子フレームの大きさと形状は、これらが親フレームの表示窓に現れるとき、親・子フレーム間、子フレーム間で隙間がないものとする。このために、親・子フレームの形態は大小の矩形である。親・子フレームが矩形であるとき、親フレームの表示窓内で子フレームの位置を上下左右に移動させた組み合わせとすることができる。これにより、同じ親・子フレームを組み合わせたフォトスタンドであっても、その範囲で雰囲気を変えることができる。
一方、親・子のスタンドはそれぞれを独立したフォトスタンドとして利用できるから、大小複数の写真をそれぞれ別個に飾ることもできる。
【考案を実施するための最良の形態】
【０００７】
〔実施例１〕
図１，２は、親子嵌め込みフォトスタンド１の正面側と背面側である。親子嵌め込みフォトスタンド１は、親スタンド２と子スタンド３ａ，３ｂ，３ｃとで構成されている(図３）。
親スタンド２は、親フレーム４とガラス板５（図４）及び裏板６を備える。親フレーム４はこの実施例においてウォールナット色に着色された木製で上下左右の縁材７ａ〜７ｄで矩形に構成され、縁材７ａ〜７ｄが囲んでいる内側が表示窓８となる（図４）。
フレームを構成するそれぞれの縁材７ａ〜７ｄは、図５〜７に見るように断面が階段状になっていて、背面側の内周線ｐが正面側の内周線ｑよりも外側とされ、正面側（図の下方）に当接縁９が形成されている。したがって、親フレーム４を背面側から見ると正面側に当接縁９が内周に沿ってぐるりと形成されている。
【０００８】
当接縁９から親フレーム４の背面までの空間がガラス板５、写真、裏板６、また、子スタンド３ａ〜３ｃを装填する装着空間１０である。ガラス板５と裏板６は装着空間１０に嵌め込まれ、周縁が当接縁９に当接できる大きさの矩形である。親フレーム４を構成する縁材７ａ〜７ｄの背面には裏板押え具１１が回動可能に取り付けられている。裏板６は硬質の厚紙などで形成されており、背面側の支持部材１２が上端を中心として展開可能に取り付けられている。符合１３は係合具であり、裏板６の背面側で上辺と下辺近くに取り付けられ、裏板６の背面に沿って回動可能である。裏板押え具１１を回動させると、その先端を親フレーム４の背面側内周から内側へ突出させることができる。また、係合具１３を回動させると、その先端を裏板６の上辺あるいは下辺から外方へ突出させることができる。
【０００９】
子スタンド３ａ〜３ｃは、いずれも矩形の子フレーム１４ａ〜１４ｃと、それぞれの子裏板１５ａ〜１５ｃ、子ガラス板１６ａ〜１６ｃ及び支持棒１７ａ〜１７ｃ（支持部材）とからなる（図４）。
子フレーム１４ａ〜１４ｃは同じ厚さ寸法でいずれもフレーム背面の左縦面と下縦面に支持棒１７ａ〜１７ｃの一端を差し込む支持穴１８ａ〜１８ｃ（支持部材取り付け部）を有している。しかし、デザイン上、フレームを構成する縁材（符合を省略）の色は、ウォーク、メイプル、木生地のように異ならせてある。
【００１０】
子フレーム１４ａ〜１４ｃを構成するそれぞれの縁部材の断面形態は前記親フレーム４の場合と同様に階段状となっており、正面側内周に当接縁（符合省略）を有し、この部分に子ガラス板１６ａ〜１６ｃを当て付けて装着する。符合、１９は子係合具であり、子裏板１５ａでは左辺近くと右辺近くに、子裏板１５ｂ，１５ｃではそれぞれの上辺と下辺に回動可能に取り付けられている。子フレーム１４ａ〜１４ｃの内周面には、前記係合具１９の先端が嵌入する係止溝２０が対応して形成されている。子スタンド３ａ〜３ｃでは、子裏板側に配置した係合具１９の先端を子フレーム１４ａ〜１４ｃの内周面に設けた係止溝２０へ係合して子裏板１５ａ〜１５ｃをそれぞれ，取り付ける。
【００１１】
各部の寸法について整理する。
図７のように、親フレーム４の厚さ寸法ａは、当接縁９の厚さｂ、ガラス板５の厚さｃ、子フレーム１４ａ（１４ｂ，１４ｃ）の厚さｄ及び裏板６の厚さｅを加えた合計である。したがって、装着空間１０の深さ（厚さ）はａ−ｂである。なお、親フレーム４の内周面にも正面からａ−ｃの位置に係止溝２１が形成されている。
【００１２】
子フレーム１４ａの幅寸法ｆ（図８）は、この実施例において、子フレーム１４ｂ、１４ｃの幅寸法ｇ、ｈを合せたもので親フレーム４の背面側内周の幅寸法に略等しい。また、子フレーム１４ｂ，１４ｃの高さ寸法は等しくｉで、子フレーム１４ａの高さはｊであり、寸法ｉ＋ｊは親フレーム４の背面側内周の高さ寸法から、支持棒１７の直径分（前記の当接縁９の張り出し量よりも小さい）ｋを差し引いた値に略等しくしてある。
【００１３】
〔組立て方〕
子フレーム１４ａ〜１４ｃに子ガラス板１６ａを嵌め、写真等を装填した後、子裏板１５ａ〜１５ｃを嵌め込み、子係合具１９を回動して先端をフレームの係合溝２０に係止させる。ついで、支持棒１７を支持部材取り付け部１８に差し込んで子スタンド３ａ〜３ｃを完成する（図４）。子スタンド３ａ〜３ｃは支持棒１７ａ〜１７ｃにより、表示窓（符合を省略）を立ち上げた状態で自立させることができる。
【００１４】
親フレーム４にガラス板５を嵌め込み、写真などを装填した後、裏板６を嵌め込み、係合具１３により裏板６を押え、親スタンド２を完成する。係合具１３は、回動することにより先端を親フレーム４の内周面に形成した係合溝２１に係止する（図６  断面Ａ’−Ａ’）。親スタンド２は裏板背面の支持部材１２を展開することで、表示面８を立ち上げた状態で自立させることができる。
【００１５】
親スタンド２に子スタンド３ａ〜３ｃを組み合わせて嵌め込むときは、親フレーム４にガラス板５をはめ込んだ後、子スタンド３ａ〜３ｃから支持棒１７ａ〜１７ｃを抜き取り、子フレーム１４ａ〜１４ｃに裏板１５ａ〜１５ｃを取り付けた状態で嵌め込む。すると、子フレーム１４ａ〜１４ｃは左右方向で隙間なく親フレーム４に嵌め込まれ、上辺あるいは下辺の一方側に形成される空間に支持棒１７ａ〜１７ｃを配置する（図６，１０）。
この状態を親フレーム４の正面側から見ると、表示窓８に子フレーム１４ａ〜１４ｃが隙間なく嵌め込まれて見える（図９）だけで、収納された支持棒１７ａ〜１７ｃは、当接縁９に隠れて見えない。
【００１６】
嵌め込んだ子フレーム１４ａ〜１４ｃの上から裏板６を親フレーム４に嵌め込み、裏板６を親フレーム４の背面側に取り付けた裏板押え具１１で押さえ込み、親子嵌め込みフォトスタンド１を完成する（図６  断面Ａ−Ａ）。裏板押え具１１は、回動することにより、先端部を裏板６の背面に到達させることができる。裏板６側の係合具１３は、裏板６の周囲から内側へ退避した位置としておく。
【００１７】
以上、実施例１について説明した。各フレームを構成する素材は木材に限らず、合成樹脂や金属あるいはこれらの組み合わせであっても良い。
子フレームの数や大きさは図示の場合に限らず一つの親フレーム４に嵌め込むことができる範囲で適宜に決めることができる。
親フレーム４、子フレーム１４ａ〜１４ｃに形成した係止穴２０、２１は、縁材１７ａ〜１７ｃの全長に渡り形成した長溝であっても良い。
【００１８】
〔実施例２〕
子フレーム１４ａ〜１４ｃを自立させるための支持部材１７ａ〜１７ｃは実施例１のように別部材とせず、図１１の様に、子フレーム１４ａ〜１４ｃの背面側に一端を取り付けたばね性の金属板などでも良い。この支持部材１７ａ〜１７ｃは親フレーム４の裏板６が装着されると平らに押し込まれて、裏板６を取り付けるときの邪魔にならず、取り出すと自動的に展開して支持部材１７ａ〜１７ｃとなる。また、この支持部材１７ａ〜１７ｃは子フレーム１４ａ〜１４ｃと一体なので、実施例１のように、親フレーム４と組み込んだ子フレーム１４ａ〜１４ｃとの間に空間を設けて、取り外した支持棒１７などを収納する必要がない。フレームに対する金属板の固定個所が支持部材取り付け部である。
【００１９】
〔実施例３〕
実施例１において、係合具１３は回動させて先端部を親・子フレームの内周面に形成した係止溝２０，２１に係止させる構造であるが、図１２のように、く字形に屈曲させたばね板の一端を裏板６などへ回動可能に取り付け、裏板６を固定するとき、く字形の屈曲部を押し込んでから放すことにより、ばね板の先端部を親・子フレームの内周面に弾発力と摩擦により係合させる構造のものとしても良い。
【図面の簡単な説明】
【００２０】
【図１】自立させた状態の斜視図（正面側）
【図２】自立させた状態の斜視図（背面側）
【図３】自立させた状態の斜視図（背面側、他の使用状態）
【図４】分解して示す全体の斜視図（背面側）
【図５】参考に示す背面図
【図６】図５に指示した個所の断面図
【図７】参考に示す断面図
【図８】参考に示す正面図
【図９】正面図
【図１０】背面図（一部を破断）
【図１１】要部の斜視図（背面）
【図１２】要部の斜視図（背面）
【符号の説明】
【００２１】
１  親子嵌め込みフォトスタンド
２  親スタンド
３ａ〜３ｃ  子スタンド
４  親フレーム
５  ガラス板
６  裏板
７ａ〜７ｄ  上下左右の縁材
８  表示窓
９  当接縁
１０  装着空間
１１  裏板押え具
１２  支持部材
１３  係合具
１４ａ〜１４ｃ  子フレーム
１５ａ〜１５ｃ  子裏板
１６  子ガラス板
１７ａ〜１７ｃ  支持棒（支持部材）
１８ａ〜１８ｃ  支持穴（支持部材取り付け部）
１９  子係合具
２０  係止溝（子）
２１  係止溝
【図１】
0003113915.tif 000003
【図２】
0003113915.tif 000004
【図３】
0003113915.tif 000005
【図４】
0003113915.tif 000006
【図５】
0003113915.tif 000007
【図６】
0003113915.tif 000008
【図７】
0003113915.tif 000009
【図８】
0003113915.tif 000010
【図９】
0003113915.tif 000011
【図１０】
0003113915.tif 000012
【図１１】
0003113915.tif 000013
【図１２】
0003113915.tif 000014